(57)【要約】【課題】傘の受け骨の先端部が親骨に固定されたジョイント部材に枢支され、このジョイント部材が、親骨の外側に被着された管状部を介して親骨に固定されてなる傘において、管状部とこの管状部よりも露先側の親骨との境界部位における親骨の折損を防止する。【解決手段】ジョイント部材１３の管状部１３ｂの露先側に、管状部１３ｂよりも肉薄の延長部２０を一体に形成する。【選択図】図１
0003129327.tif 000002
【実用新案登録請求の範囲】
【請求項１】
傘の中軸に摺動自在に取り付けられた可動ろくろに根元部を枢支された受け骨の先端部が、非金属材料からなる親骨の途中に固定されたジョイント部材に枢支されてなり、該ジョイント部材が、前記親骨の外周に被着された管状部を介して前記親骨に固定されてなる傘において、
前記ジョイント部材の管状部の露先側に、該管状部よりも肉薄の延長部が一体に形成されてなることを特徴とする傘。
【請求項２】
前記肉薄の延長部が、前記親骨に沿って一定の肉厚に形成されてなることを特徴とする請求項１記載の傘。
【請求項３】
前記肉薄の延長部が、前記親骨の露先側に向かってテーパー状に肉薄となるように形成されてなることを特徴とする請求項１記載の傘。
【請求項４】
前記肉薄の延長部が、前記親骨の露先側に向かって段階的に肉薄となるように形成されてなることを特徴とする請求項１記載の傘。
【請求項５】
前記親骨がグラスファイバまたはカーボンファイバからなることを特徴とする請求項１から４のいずれか１項記載の傘。
【請求項６】
前記ジョイント部材が、前記親骨をインサート部材として成形されて前記親骨と一体化された合成樹脂材料からなることを特徴とする請求項５記載の傘。
【考案の詳細な説明】
【技術分野】
【０００１】
本考案は傘に関し、特に親骨に対する受け骨（支え骨）の先端部の取付け構造に関するものである。
【背景技術】
【０００２】
一般の傘においては、中軸（支柱）に摺動自在に取り付けられた可動ろくろ（手開き傘においては下ろくろ、押し釦で開く自動開き傘においては中ろくろ）に根元部を枢支された受け骨または支え骨の先端部が、親骨の途中に枢支されるようになっている。
【０００３】
近時、金属製の傘骨に代えて、グラスファイバまたはカーボンファイバ製の傘骨が用いられるようになってきたが、その場合は、親骨に固定された合成樹脂製のジョイント部材に受け骨または支え骨の先端部を枢支させるように構成される。
【０００４】
図３Ａおよび図３Ｂは、そのような従来の傘における親骨に対する受け骨（支え骨）の先端部の取付け構造を概略的に示し、図３Ａは正面図、図３Ｂは図３Ａの３Ｂ−３Ｂ線に沿った断面図である。
【０００５】
図において、１は例えばグラスファイバ製の親骨、２は同じくグラスファイバ製の受け骨、３は合成樹脂製のジョイント部材である。このジョイント部材３は、親骨１をインサート部材として成形されて親骨１と一体化された態様で親骨１の途中に固定されており、親骨１の両側の跨るように形成されて受け骨２の先端部を両側から挟む一対の平板部３ａ，３ａと、これら平板部３ａ，３ａから親骨１に沿って露先側および上ろくろ側にそれぞれ延びて親骨１の外周に被着された管状部（一般に「ダボ」と呼ばれている）３ｂ，３ｃとを備えている。受け骨２の先端部はピン４によって平板部３ａ，３ａ間に枢支されている。
【考案の開示】
【考案が解決しようとする課題】
【０００６】
ところで、この種のグラスファイバ製またはカーボンファイバ製の傘骨は、それ自体軽量でかつ耐久性に富むので、生地（シート）その他が破損した後も、リサイクルすることによって再利用の途が拓かれる可能性がある。
【０００７】
しかしながら、図３Ａおよび図３Ｂに示すようなジョイント部材３の構成では、傘が風に煽られたり、露先が物に引っ掛かったりすると、図４に示すように、ジョイント部材３の露先側の管状部３ｂと親骨１との境界部位において親骨１が折損するという問題があった。
【０００８】
そこで、本考案は、上述のような親骨の折損を防止することが可能なジョイント部材を備えた傘を提供することを目的とするものである。
【課題を解決するための手段】
【０００９】
本考案は、傘の中軸に摺動自在に取り付けられた可動ろくろ（例えば下ろくろ）に根元部を枢支された受け骨の先端部が、非金属材料からなる親骨の途中に固定されたジョイント部材に枢支され、このジョイント部材が、親骨の外側に被着された管状部を介して親骨に固定されてなる傘において、
上記ジョイント部材の管状部の露先側に、この管状部よりも肉薄の延長部が一体に形成されてなることを特徴とするものである。
【００１０】
上記肉薄の延長部は、親骨に沿って一定の肉厚を有するものであっても、親骨の露先側に向かってテーパー状に肉薄となるように形成されているものでも、あるいは親骨の露先側に向かって段階的に肉薄となるように形成されているものであってもよい。
【００１１】
上記親骨がグラスファイバまたはカーボンファイバからなることが好ましく、また、上記ジョイント部材は、親骨をインサート部材として成形されて親骨と一体化された態様で親骨の途中に固定された合成樹脂材料からなるものであることが好ましい。
【考案の効果】
【００１２】
本考案によれば、ジョイント部材の管状部の露先側に、この管状部よりも肉薄の延長部が一体に形成されていることにより、ジョイント部材と親骨との間の境界部位における応力の集中が回避され、この部位における親骨の折損を防止することができる効果がある
【考案を実施するための最良の形態】
【００１３】
以下、図面を参照して本考案による傘の好ましい実施の形態について詳細に説明する。図１は、本考案の実施形態による傘の閉状態における全体構成を、一部を省略して示す概略図である。
【００１４】
図１において、この傘１０は、中軸（支柱）１２と、この中軸１２の上端部に嵌装固定された上ろくろ１４と、この上ろくろ１４に根元部を枢着された複数の親骨１と、中軸１２に摺動自在に嵌装された下ろくろ１６と、この下ろくろ１６に根元部を枢支された受け骨２と、中軸２の下端部に固定された手元１８とを備えている。
【００１５】
グラスファイバ製の親骨１の中間部には、親骨１をインサート部材として成形されて親骨１と一体化された合成樹脂材料からなるジョイント部材１３が固定されている。このジョイント部材１３は、図３Ａおよび図３Ｂに示されている従来のジョイント部材３と同様に、親骨１の両側に跨るように形成されて受け骨２の先端部を両側から挟む一対の平板部１３ａ，１３ａと、これら平板部１３ａ，１３ａから親骨１に沿って露先側および上ろくろ１４側にそれぞれ延びて親骨１の外周に被着された管状部１３ｂ，１３ｃとを備えている。受け骨２の先端部はピン４によって平板部１３ａ，１３ａの間に枢支されている。
【００１６】
さらにジョイント部材１３の露先側の管状部１３ｂには、この管状部１３ｂから露先側に延びる、外径が管状部１３ｂよりも小径にされた肉薄の延長部２０が一体に形成されている。
【００１７】
上記肉薄の延長部２０は、図２Ａに符号２０ａで示すように、親骨１に沿って一定の外径を備えて一定の肉厚を有するものであっても、図２Ｂに符号２０ｂで示すように親骨１の露先側に向かってテーパー状の外径を有して連続的に肉薄となるように形成されているものであっても、あるいは、図３Ｃに符号２０ｃで示すように、親骨１の露先側に向かって段階的に小径となる外径を有して段階的に肉薄となるように形成されているものであってもよい。
【００１８】
いずれの構成においても、管状部１３ｂと親骨１との間の境界部位における応力の集中が回避され、この部位における親骨１の折損を防止することができる効果がある。
【図面の簡単な説明】
【００１９】
【図１】本考案による傘の閉状態における全体構成を、一部を省略して示す概略図
【図２Ａ】本考案による傘の要部の第１の実施の形態を示す正面図
【図２Ｂ】本考案による傘の要部の第２の実施の形態を示す正面図
【図２Ｃ】本考案による傘の要部の第３の実施の形態を示す正面図
【図３Ａ】従来の傘の要部の正面図
【図３Ｂ】図３Ａの３Ｂ−３Ｂに沿った断面図
【図４】従来の傘における親骨の折損状態を示す正面図
【符号の説明】
【００２０】
１    親骨
２    受け骨
３，１３    ジョイント部材
３ａ．１３ａ    平板部
３ｂ，３ｃ，１３ｂ，１３ｃ    管状部
４    ピン
１０    傘
１２    中軸
１４    上ろくろ
１６    下ろくろ
１０    手元
１８    手元
２０    肉薄の延長部
【図１】
0003129327.tif 000003
【図２Ａ】
0003129327.tif 000004
【図２Ｂ】
0003129327.tif 000005
【図２Ｃ】
0003129327.tif 000006
【図３Ａ】
0003129327.tif 000007
【図３Ｂ】
0003129327.tif 000008
【図４】
0003129327.tif 000009